【手続補正書】
【提出日】平成22年5月26日(2010.5.26)
【手続補正１】
【補正対象書類名】特許請求の範囲
【補正対象項目名】全文
【補正方法】変更
【補正の内容】
【特許請求の範囲】
【請求項１】
遊技領域が形成された遊技盤と、
前記遊技領域の所定位置に設けられ、遊技球が入球可能な第１始動口と、
前記遊技領域の所定位置に設けられ、遊技球が入球可能な第２始動口と、
前記第１始動口への遊技球の入球を契機に通常遊技より遊技者に有利な状態となる第１特別遊技を実行するか否かを判定するために当否抽選値を取得して、その当否を判定する第１抽選を実行する第１抽選手段と、前記第２始動口への遊技球の入球を契機に通常遊技より遊技者に有利な状態となる第２特別遊技を実行するか否かを判定するために当否抽選値を取得して、その当否を判定する第２抽選を実行する第２抽選手段と、を含む当否抽選手段と、
前記第１抽選の結果が図柄変動のかたちで表示される第１特別図柄表示装置と、
前記第２抽選の結果が図柄変動のかたちで表示される第２特別図柄表示装置と、
前記第１抽選の結果を示す第１特別図柄を前記第１特別図柄表示装置に変動表示させるときの変動開始から停止までの変動態様が定められた変動パターンを複数種のパターンから選択する第１図柄決定手段と、
前記第２抽選の結果を示す第２特別図柄を前記第２特別図柄表示装置に変動表示させるときの変動開始から停止までの変動態様が定められた変動パターンを複数種のパターンから選択する第２図柄決定手段と、
前記第１図柄決定手段により前記変動パターンが決定されるときに参照されるテーブルとして、前記第１特別図柄を変動表示させるときの変動時間がそれぞれ異なる複数種の変動パターンと前記第１抽選の結果とが対応付けられた第１変動パターンテーブルを保持する第１変動テーブル保持手段と、
前記第２図柄決定手段により前記変動パターンが決定されるときに参照されるテーブルとして、前記第２特別図柄を変動表示させるときの変動時間がそれぞれ異なる複数種の変動パターンと前記第２抽選の結果とが対応付けられた第２変動パターンテーブルを保持する第２変動テーブル保持手段と、
前記第１特別図柄を前記第１特別図柄表示装置に変動表示させ、前記第２特別図柄を前記第２特別図柄表示装置に変動表示させるメイン表示制御手段と、
前記遊技領域の所定位置に設けられ、前記第１抽選が当たりであったときに遊技球の受け入れ状態が遊技者に有利な状態に変化可能な第１可変入球装置と、
前記遊技領域の所定位置に設けられ、前記第２抽選が当たりであったときに遊技球の受け入れ状態が遊技者に有利な状態に変化可能な第２可変入球装置と、
前記第１特別遊技を実行するための条件である第１作動条件を保持する第１作動条件保持手段と、
前記第２特別遊技を実行するための条件である第２作動条件を保持する第２作動条件保持手段と、
前記第１抽選が当たりである場合に、前記第１作動条件が成立し、前記第１可変入球装置の受け入れ状態を遊技者に有利な状態へ変化させることにより前記第１特別遊技を実行する第１特別遊技制御手段と、
前記第２抽選が当たりである場合に、前記第２作動条件が成立し、前記第２可変入球装置の受け入れ状態を遊技者に有利な状態へ変化させることにより前記第２特別遊技を実行する第２特別遊技制御手段と、を備え、
前記当否抽選手段は、前記第１抽選手段が前記第１抽選を実行する場合または前記第２抽選手段が前記第２抽選を実行する場合に参照する共通のテーブルとして、当たりまたは外れの判定結果と前記当否抽選値とが対応付けられた当否テーブルを保持し、
前記第１変動テーブル保持手段および前記第２変動テーブル保持手段のうち少なくともいずれかは、前記第１変動パターンテーブルまたは前記第２変動パターンテーブルとして、リーチ演出がなされる頻度が高くなるように規定されたテーブルを保持し、
さらに、前記第１変動テーブル保持手段は、前記第１変動パターンテーブルとして、変動時間が標準的である標準変動パターンおよび変動時間が長い長変動パターンと前記第１抽選の結果とが少なくとも対応付けられるとともに、前記長変動パターンの選択確率が前記第２変動パターンテーブルと比べて高くなるよう定められたテーブルを保持し、
前記メイン表示制御手段は、
前記第１図柄決定手段が決定した変動パターンにしたがい第１特別図柄の変動表示を制御する第１特図制御手段と、
前記第２図柄決定手段が決定した変動パターンにしたがい第２特別図柄の変動表示を制御する第２特図制御手段と、
前記第１特別図柄および前記第２特別図柄のうち、一方を変動表示させる間は他方の変動表示の開始を待機させる特図調整手段と、
を有することを特徴とする弾球遊技機。
【請求項２】
遊技領域が形成された遊技盤と、
前記遊技領域の所定位置に設けられ、遊技球が入球可能な第１始動口と、
前記遊技領域の所定位置に設けられ、遊技球が入球可能な第２始動口と、
前記第１始動口への遊技球の入球を契機に通常遊技より遊技者に有利な状態となる第１特別遊技を実行するか否かを判定するために第１の当否抽選値を取得する一方、当たりまたは外れの判定結果と第１の当否抽選値とが対応付けられた第１の当否テーブルを保持し、その当否テーブルを参照して前記第１の当否抽選値の当否を判定する第１抽選を実行する第１抽選手段と、
前記第２始動口への遊技球の入球を契機に通常遊技より遊技者に有利な状態となる第２特別遊技を実行するか否かを判定するために第２の当否抽選値を取得する一方、当たりまたは外れの判定結果と第２の当否抽選値とが対応付けられた第２の当否テーブルを保持し、その当否テーブルを参照して前記第２の当否抽選値の当否を判定する第２抽選を実行する第２抽選手段と、
前記第１抽選の結果が図柄変動のかたちで表示される第１特別図柄表示装置と、
前記第２抽選の結果が図柄変動のかたちで表示される第２特別図柄表示装置と、
前記第１抽選の結果を示す第１特別図柄を前記第１特別図柄表示装置に変動表示させるときの変動開始から停止までの変動態様が定められた変動パターンを複数種のパターンから選択する第１図柄決定手段と、
前記第２抽選の結果を示す第２特別図柄を前記第２特別図柄表示装置に変動表示させるときの変動開始から停止までの変動態様が定められた変動パターンを複数種のパターンから選択する第２図柄決定手段と、
前記第１図柄決定手段により前記変動パターンが決定されるときに参照されるテーブルとして、前記第１特別図柄を変動表示させるときの変動時間がそれぞれ異なる複数種の変動パターンと前記第１抽選の結果とが対応付けられた第１変動パターンテーブルを保持する第１変動テーブル保持手段と、
前記第２図柄決定手段により前記変動パターンが決定されるときに参照されるテーブルとして、前記第２特別図柄を変動表示させるときの変動時間がそれぞれ異なる複数種の変動パターンと前記第２抽選の結果とが対応付けられた第２変動パターンテーブルを保持する第２変動テーブル保持手段と、
前記第１特別図柄を前記第１特別図柄表示装置に変動表示させ、前記第２特別図柄を前記第２特別図柄表示装置に変動表示させるメイン表示制御手段と、
前記遊技領域の所定位置に設けられ、前記第１抽選が当たりであったときに遊技球の受け入れ状態が遊技者に有利な状態に変化可能な第１可変入球装置と、
前記遊技領域の所定位置に設けられ、前記第２抽選が当たりであったときに遊技球の受け入れ状態が遊技者に有利な状態に変化可能な第２可変入球装置と、
前記第１特別遊技を実行するための条件である第１作動条件を保持する第１作動条件保持手段と、
前記第２特別遊技を実行するための条件である第２作動条件を保持する第２作動条件保持手段と、
前記第１抽選が当たりである場合に、前記第１作動条件が成立し、前記第１可変入球装置の受け入れ状態を遊技者に有利な状態へ変化させることにより前記第１特別遊技を実行する第１特別遊技制御手段と、
前記第２抽選が当たりである場合に、前記第２作動条件が成立し、前記第２可変入球装置の受け入れ状態を遊技者に有利な状態へ変化させることにより前記第２特別遊技を実行する第２特別遊技制御手段と、を備え、
前記第１変動テーブル保持手段および前記第２変動テーブル保持手段のうち少なくともいずれかは、前記第１変動パターンテーブルまたは前記第２変動パターンテーブルとして、リーチ演出がなされる頻度が高くなるように規定されたテーブルを保持し、
さらに、前記第１変動テーブル保持手段は、前記第１変動パターンテーブルとして、変動時間が標準的である標準変動パターンおよび変動時間が長い長変動パターンと前記第１抽選の結果とが少なくとも対応付けられるとともに、前記長変動パターンの選択確率が前記第２変動パターンテーブルと比べて高くなるよう定められたテーブルを保持し、
前記メイン表示制御手段は、
前記第１図柄決定手段が決定した変動パターンにしたがい第１特別図柄の変動表示を制御する第１特図制御手段と、
前記第２図柄決定手段が決定した変動パターンにしたがい第２特別図柄の変動表示を制御する第２特図制御手段と、
前記第１特別図柄および前記第２特別図柄のうち、一方を変動表示させる間は他方の変動表示の開始を待機させる特図調整手段と、
を有することを特徴とする弾球遊技機。
【請求項３】
遊技領域が形成された遊技盤と、
前記遊技領域の所定位置に設けられ、遊技球が入球可能な第１始動口と、
前記遊技領域の所定位置に設けられ、遊技球が入球可能な第２始動口と、
前記第１始動口への遊技球の入球を契機に通常遊技より遊技者に有利な状態となる第１特別遊技を実行するか否かを判定するために当否抽選値を取得して、その当否を判定する第１抽選を実行する第１抽選手段と、前記第２始動口への遊技球の入球を契機に通常遊技より遊技者に有利な状態となる第２特別遊技を実行するか否かを判定するために当否抽選値を取得して、その当否を判定する第２抽選を実行する第２抽選手段と、を含む当否抽選手段と、
前記第１抽選の結果が図柄変動のかたちで表示される第１特別図柄表示装置と、
前記第２抽選の結果が図柄変動のかたちで表示される第２特別図柄表示装置と、
前記第１抽選の結果を示す第１特別図柄を前記第１特別図柄表示装置に変動表示させるときの変動開始から停止までの変動態様が定められた変動パターンを複数種のパターンから選択する第１図柄決定手段と、
前記第２抽選の結果を示す第２特別図柄を前記第２特別図柄表示装置に変動表示させるときの変動開始から停止までの変動態様が定められた変動パターンを複数種のパターンから選択する第２図柄決定手段と、
前記第１図柄決定手段により前記変動パターンが決定されるときに参照されるテーブルとして、前記第１特別図柄を変動表示させるときの変動時間がそれぞれ異なる複数種の変動パターンと前記第１抽選の結果とが対応付けられた第１変動パターンテーブルを保持する第１変動テーブル保持手段と、
前記第２図柄決定手段により前記変動パターンが決定されるときに参照されるテーブルとして、前記第２特別図柄を変動表示させるときの変動時間がそれぞれ異なる複数種の変動パターンと前記第２抽選の結果とが対応付けられた第２変動パターンテーブルを保持する第２変動テーブル保持手段と、
前記第１特別図柄を前記第１特別図柄表示装置に変動表示させ、前記第２特別図柄を前記第２特別図柄表示装置に変動表示させるメイン表示制御手段と、
前記遊技領域の所定位置に設けられ、前記第１抽選および前記第２抽選のうちいずれかが当たりであったときに遊技球の受け入れ状態が遊技者に有利な状態に変化可能な可変入球装置と、
前記第１特別遊技を実行するための条件である第１作動条件を保持する第１作動条件保持手段と、
前記第２特別遊技を実行するための条件である第２作動条件を保持する第２作動条件保持手段と、
前記第１抽選が当たりである場合に、前記第１作動条件が成立し、前記可変入球装置の受け入れ状態を遊技者に有利な状態へ変化させることにより前記第１特別遊技を実行する第１特別遊技制御手段と、
前記第２抽選が当たりである場合に、前記第２作動条件が成立し、前記可変入球装置の受け入れ状態を遊技者に有利な状態へ変化させることにより前記第２特別遊技を実行する第２特別遊技制御手段と、を備え、
前記当否抽選手段は、前記第１抽選手段が前記第１抽選を実行する場合または前記第２抽選手段が前記第２抽選を実行する場合に参照する共通のテーブルとして、当たりまたは外れの判定結果と前記当否抽選値とが対応付けられた当否テーブルを保持し、
前記第１変動テーブル保持手段および前記第２変動テーブル保持手段のうち少なくともいずれかは、前記第１変動パターンテーブルまたは前記第２変動パターンテーブルとして、リーチ演出がなされる頻度が高くなるように規定されたテーブルを保持し、
さらに、前記第１変動テーブル保持手段は、前記第１変動パターンテーブルとして、変動時間が標準的である標準変動パターンおよび変動時間が長い長変動パターンと前記第１抽選の結果とが少なくとも対応付けられるとともに、前記長変動パターンの選択確率が前記第２変動パターンテーブルと比べて高くなるよう定められたテーブルを保持し、
前記メイン表示制御手段は、
前記第１図柄決定手段が決定した変動パターンにしたがい第１特別図柄の変動表示を制御する第１特図制御手段と、
前記第２図柄決定手段が決定した変動パターンにしたがい第２特別図柄の変動表示を制御する第２特図制御手段と、
前記第１特別図柄および前記第２特別図柄のうち、一方を変動表示させる間は他方の変動表示の開始を待機させる特図調整手段と、
を有することを特徴とする弾球遊技機。
【請求項４】
遊技領域が形成された遊技盤と、
前記遊技領域の所定位置に設けられ、遊技球が入球可能な第１始動口と、
前記遊技領域の所定位置に設けられ、遊技球が入球可能な第２始動口と、
前記第１始動口への遊技球の入球を契機に通常遊技より遊技者に有利な状態となる第１特別遊技を実行するか否かを判定するために第１の当否抽選値を取得する一方、当たりまたは外れの判定結果と第１の当否抽選値とが対応付けられた第１の当否テーブルを保持し、その当否テーブルを参照して前記第１の当否抽選値の当否を判定する第１抽選を実行する第１抽選手段と、
前記第２始動口への遊技球の入球を契機に通常遊技より遊技者に有利な状態となる第２特別遊技を実行するか否かを判定するために第２の当否抽選値を取得する一方、当たりまたは外れの判定結果と第２の当否抽選値とが対応付けられた第２の当否テーブルを保持し、その当否テーブルを参照して前記第２の当否抽選値の当否を判定する第２抽選を実行する第２抽選手段と、
前記第１抽選の結果が図柄変動のかたちで表示される第１特別図柄表示装置と、
前記第２抽選の結果が図柄変動のかたちで表示される第２特別図柄表示装置と、
前記第１抽選の結果を示す第１特別図柄を前記第１特別図柄表示装置に変動表示させるときの変動開始から停止までの変動態様が定められた変動パターンを複数種のパターンから選択する第１図柄決定手段と、
前記第２抽選の結果を示す第２特別図柄を前記第２特別図柄表示装置に変動表示させるときの変動開始から停止までの変動態様が定められた変動パターンを複数種のパターンから選択する第２図柄決定手段と、
前記第１図柄決定手段により前記変動パターンが決定されるときに参照されるテーブルとして、前記第１特別図柄を変動表示させるときの変動時間がそれぞれ異なる複数種の変動パターンと前記第１抽選の結果とが対応付けられた第１変動パターンテーブルを保持する第１変動テーブル保持手段と、
前記第２図柄決定手段により前記変動パターンが決定されるときに参照されるテーブルとして、前記第２特別図柄を変動表示させるときの変動時間がそれぞれ異なる複数種の変動パターンと前記第２抽選の結果とが対応付けられた第２変動パターンテーブルを保持する第２変動テーブル保持手段と、
前記第１特別図柄を前記第１特別図柄表示装置に変動表示させ、前記第２特別図柄を前記第２特別図柄表示装置に変動表示させるメイン表示制御手段と、
前記遊技領域の所定位置に設けられ、前記第１抽選および前記第２抽選のうちいずれかが当たりであったときに遊技球の受け入れ状態が遊技者に有利な状態に変化可能な可変入球装置と、
前記第１特別遊技を実行するための条件である第１作動条件を保持する第１作動条件保持手段と、
前記第２特別遊技を実行するための条件である第２作動条件を保持する第２作動条件保持手段と、
前記第１抽選が当たりである場合に、前記第１作動条件が成立し、前記可変入球装置の受け入れ状態を遊技者に有利な状態へ変化させることにより前記第１特別遊技を実行する第１特別遊技制御手段と、
前記第２抽選が当たりである場合に、前記第２作動条件が成立し、前記可変入球装置の受け入れ状態を遊技者に有利な状態へ変化させることにより前記第２特別遊技を実行する第２特別遊技制御手段と、を備え、
前記第１変動テーブル保持手段および前記第２変動テーブル保持手段のうち少なくともいずれかは、前記第１変動パターンテーブルまたは前記第２変動パターンテーブルとして、リーチ演出がなされる頻度が高くなるように規定されたテーブルを保持し、
さらに、前記第１変動テーブル保持手段は、前記第１変動パターンテーブルとして、変動時間が標準的である標準変動パターンおよび変動時間が長い長変動パターンと前記第１抽選の結果とが少なくとも対応付けられるとともに、前記長変動パターンの選択確率が前記第２変動パターンテーブルと比べて高くなるよう定められたテーブルを保持し、
前記メイン表示制御手段は、
前記第１図柄決定手段が決定した変動パターンにしたがい第１特別図柄の変動表示を制御する第１特図制御手段と、
前記第２図柄決定手段が決定した変動パターンにしたがい第２特別図柄の変動表示を制御する第２特図制御手段と、
前記第１特別図柄および前記第２特別図柄のうち、一方を変動表示させる間は他方の変動表示の開始を待機させる特図調整手段と、
を有することを特徴とする弾球遊技機。